(57)【要約】  本発明は、少なくとも１つの第１のコマンド発行デバイス（１０）及び少なくとも１つの第２のコマンド受信デバイス（２０）を含むシステム（１）に関し、上記少なくとも１つの第１のコマンド発行デバイス及び少なくとも１つの第２のコマンド受信デバイスはそれぞれ、制御ユニット（１１、２１）及び短距離無線通信ユニット（１２、２２）を含み、上記システムは第１の機能（ＦＣＴ１）の実行を可能とする少なくとも１つの第１の機能プロファイル（ＰＲＯ１）を使用するよう適合され、上記第１のプロファイルにより、上記第１のデバイスは第１の符号化されたメッセージ（ＭＯＴ１）を生成でき、上記第２のデバイスが第１の符号化されたメッセージを受信すると、上記第１の機能が上記少なくとも１つの第２のコマンド受信デバイスによって実行される。このシステムは、このシステムが、第２のコマンド受信デバイスが第１の符号化されたメッセージの受信に応答して第２の機能（ＦＣＴ２）を実行できるよう、構成されることを特徴とする。【選択図】図１
2016522479.tif 000002
【特許請求の範囲】
【請求項１】
少なくとも１つの第１のコマンド発行デバイス（１０）及び少なくとも１つの第２のコマンド受信デバイス（２０）を含む、システム（１）であって、
前記少なくとも１つの第１のコマンド発行デバイス及び前記少なくとも１つの第２のコマンド受信デバイスはそれぞれ、制御ユニット（１１、２１）及び短距離無線通信ユニット（１２、２２）を含み、
前記システムは、第１の機能（ＦＣＴ１）の実行を可能とする少なくとも１つの第１の機能プロファイル（ＰＲＯ１）を使用するよう配設され、
前記第１のプロファイルにより、前記第１のデバイスは第１の符号化されたメッセージ（ＭＯＴ１）を生成でき、
前記第２のデバイスが前記第１の符号化されたメッセージを受信すると、前記第１の機能が前記少なくとも１つの第２のコマンド受信デバイスによって実行される、システムにおいて、
前記システムは、前記システムが、前記第２のコマンド受信デバイスが前記第１の符号化されたメッセージの受信に応答して第２の機能（ＦＣＴ２）を実行できるよう構成されることを特徴とする、システム（１）。
【請求項２】
前記第１のプロファイル（ＰＲＯ１）により、前記第１のデバイスは、第１の機能（ＦＣＴ１）及び第２の機能（ＦＣＴ２）の実行をそれぞれ可能とする第１の符号化されたメッセージ（ＭＯＴ１）及び第２の符号化されたメッセージ（ＭＯＴ２）を生成できることを特徴とする、請求項１に記載のシステム。
【請求項３】
前記第１の機能（ＦＣＴ１）はオブジェクト検索機能であり、前記第２の機能（ＦＣＴ２）は写真機能であることを特徴とする、請求項１又は２に記載のシステム。
【請求項４】
前記第１のデバイス（１０）は腕時計であり、前記第２のデバイス（２０）はタッチタブレットであることを特徴とする、請求項１〜３のいずれか１項に記載のシステム。
【請求項５】
前記第１のデバイス（１０）はタッチタブレットであり、前記第２のデバイス（２０）は腕時計であることを特徴とする、請求項１〜３のいずれか１項に記載のシステム。
【請求項６】
前記システムは、前記少なくとも１つの第１のコマンド発行デバイス（１０）及び前記少なくとも２つの第２のコマンド受信デバイス（２０）を含み、
前記少なくとも１つの第１のコマンド発行デバイス及び前記少なくとも２つの第２のコマンド受信デバイスはそれぞれ、前記第１の符号化されたメッセージの受信に応答して機能を実行でき、
前記第１のデバイス（１０）は、前記第２のコマンド受信デバイス（２０）のうちの１つだけに限定して、前記第１の符号化されたメッセージを送信するよう配設される
ことを特徴とする、請求項１に記載のシステム。
【発明の詳細な説明】
【技術分野】
【０００１】
本発明は、少なくとも１つの第１のコマンド発行デバイス及び少なくとも１つの第２のコマンド受信デバイスを含むシステムに関し、上記少なくとも１つの第１のコマンド発行デバイス及び少なくとも１つの第２のコマンド受信デバイスはそれぞれ、制御ユニット及び短距離無線通信ユニットを含み、上記システムは第１の機能の実行を可能とする少なくとも１つの第１の機能プロファイルを使用するよう適合され、上記第１のプロファイルにより上記第１のデバイスは第１の符号化されたメッセージを生成でき、上記第２のデバイスが第１の符号化されたメッセージを受信すると、上記第１の機能が上記少なくとも１つの第２のコマンド受信デバイスによって実行される。
【背景技術】
【０００２】
Ｂｌｕｅｔｏｏｔｈ（登録商標）プロトコルは、遠距離通信産業の仕様である。Ｂｌｕｅｔｏｏｔｈプロトコルは、電子デバイス間の接続を簡略化するよう設計された短距離無線技術を用いる。これはコンピュータとプリンタとの間のケーブルに取って代わるよう設計された。このプロトコルは、携帯型音楽プレーヤ及び携帯電話といった携帯型電子デバイスまで拡張されてきた。
【０００３】
この仕様により、デバイスは短距離通信によってデータ又はコマンドを交換できる。Ｂｌｕｅｔｏｏｔｈプロトコルは例えば、コンピュータをマウスにワイヤレスで接続できる。Ｂｌｕｅｔｏｏｔｈプロトコルは、Ｂｌｕｅｔｏｏｔｈプロトコルに関わる又はＢｌｕｅｔｏｏｔｈプロトコルを使用する様々なブランド間で、相互運用を達成するための規格である。
【０００４】
様々なプロファイルがＢｌｕｅｔｏｏｔｈプロトコルにおいて作成される。プロファイルは、特定の用途の機能的仕様、即ち機能である。プロファイルはまた、様々なタイプの周辺機器に対応する。プロファイルの目的は、全てのＢｌｕｅｔｏｏｔｈデバイス間の相互運用を保証することである。
【０００５】
従って、機能に関するプロファイルは、その機能を使用する全てのデバイスにおいて使用され、これにより製品のブランドにかかわらず、上記機能を常に起動できる。このようなプロファイルは：
‐所定の用途を実装する方法；
‐使用することになる特定のプロトコル；並びに
‐これらプロトコルの制約及び値の範囲
を定義する。
【０００６】
このシステムの１つの欠点は、新たな機能の作成には新たなプロファイルの作成が必要であり、これにはたいへんな作業を伴うことである。実際、プロファイルを作成するための作業は、上記機能を使用する全てのＢｌｕｅｔｏｏｔｈデバイス間の相互運用等の制約を考慮しなければならない。従ってプロファイルの作成は、資金及び時間に関する相当なコストにつながる。
【発明の概要】
【発明が解決しようとする課題】
【０００７】
本発明の目的は、新たな機能をより簡単に動作させ統合する、Ｂｌｕｅｔｏｏｔｈ技術を用いるシステムを提供することにより、従来技術の欠点を克服することである。
【課題を解決するための手段】
【０００８】
この目的のために、本発明は、少なくとも１つの第１のコマンド発行デバイス及び少なくとも１つの第２のコマンド受信デバイスを含むシステムに関し、上記少なくとも１つの第１のコマンド発行デバイス及び少なくとも１つの第２のコマンド受信デバイスはそれぞれ、制御ユニット及び短距離無線通信ユニットを含む。上記システムは、第１の機能の実行を可能とする少なくとも１つの第１の機能プロファイルを使用するよう適合される。上記第１のプロファイルにより、上記第１のデバイスは第１の符号化されたメッセージを生成でき、上記第２のデバイスが第１の符号化されたメッセージを受信すると、上記第１の機能が上記少なくとも１つの第２のコマンド受信デバイスによって実行される。このシステムは、このシステムが、第２のコマンド受信デバイスが第１の符号化されたメッセージの受信に応答して第２の機能を実行できるよう、構成されることを特徴とする。
【０００９】
第１の有利な実施形態では、第１のプロファイルにより、上記第１のデバイスは、第１の機能及び第２の機能の実行をそれぞれ可能とする第１の符号化されたメッセージ及び第２の符号化されたメッセージを生成できる。
【００１０】
第２の有利な実施形態では、第１の機能はオブジェクト検索機能であり、第２の機能は写真機能である。
【００１１】
第３の有利な実施形態では、第１のデバイスは腕時計であり、第２のデバイスはタッチタブレットである。
【００１２】
別の有利な実施形態では、第１のデバイスはタッチタブレットであり、第２のデバイスは腕時計である。
【００１３】
別の有利な実施形態では、システムは、少なくとも１つの第１のコマンド発行デバイス及び少なくとも２つの第２のコマンド受信デバイスを含み、これらはそれぞれ第１の符号化されたメッセージの受信に応答して機能を実行でき、上記第１のデバイスは、第２のコマンド受信デバイスのうちの１つだけに限定して、上記第１の符号化されたメッセージを送信するよう配設される。
【００１４】
本発明によるシステムの目的、利点、特徴は、非限定的な例としてのみ与えられ、添付の図面に例示された、本発明の少なくとも１つの実施形態の以下の詳細な説明において、より明らかになるであろう。
【図面の簡単な説明】
【００１５】
【図１】図１は、本発明によるデバイスのシステムの概略図である。
【図２】図２は、本発明によるデバイスのシステムの動作の概略図である。
【図３】図３は、本発明によるデバイスの代替的な動作モードの概略図である。
【発明を実施するための形態】
【００１６】
図１は、本発明によるシステムを示す。このシステム１は、携帯電話又はコンピュータ又はタッチタブレット又は腕時計といった、少なくとも２つのデバイス１０、２０を含む。このシステムは、第１のデバイス１０及び第２のデバイス２０を含むことが理解される。
【００１７】
これらのデバイスはそれぞれ、上記デバイスを制御するための中央ユニット１１、２１、データ及びコマンドの記憶のためのメモリ領域１２、２３、並びにデータ又はコマンドを受信及び伝送できる通信回路１２、２２を備える。この通信回路１２、２２は、短距離のために使用されかつ２．４ＧＨｚの周波数を用いるＢｌｕｅｔｏｏｔｈプロトコル等の特定の通信プロトコルに従って動作するよう配設される。各デバイス１０、２０は更に、表示手段１４、２４を含む。システム１は、第１のデバイス１０となるコマンド発行デバイスと、第２のデバイス２０となるコマンド受信デバイスとを含むことが想定される。
【００１８】
以下の説明は、電子タッチ腕時計及びｉＰａｄ（登録商標）タイプのタッチタブレットといった、２つのデバイスを有するシステム１の例を挙げる。電子腕時計は、ディスプレイのためのＬＣＤスクリーンと、腕時計を制御するためのタッチ及び／又は従来のキーとを備える。タッチタブレットは、ＬＣＤタッチスクリーンと、ビデオ通話又は写真撮影用のカメラとを備える。電子腕時計は、タッチタブレットである第２のデバイスを制御するために使用される第１のデバイスである。
【００１９】
これらのデバイス１０、２０はまた、特定の数の機能を実行できるよう構成される。従って、このような様々な機能のために多数のプロファイルＰＲＯが使用されることが理解される。
【００２０】
これらプロファイルＰＲＯは、ソフトウェアの形態を取り、第１のデバイス１０に統合された第１の部分及び第２のデバイス２０に統合された第２の部分を有する。第１の部分がコマンド発行デバイス即ち第１のデバイス１０に含まれ、第２の部分がコマンド受信デバイス即ち第２のデバイス２０に組み込まれることが想定される。その結果として第１及び第２の部分は互いに協働し、第１のデバイス１０及び特に使用されるプロファイルの第１の部分が、使用されるプロファイルの第２の部分によって解釈されるコマンドを送信する。
【００２１】
本発明によると有利には、第２のデバイス２０即ちコマンド受信デバイスは、プロファイルの第２の部分が上記プロファイルにリンクされたもの以外の機能を実行するようにプログラムされる。これは、図２に示すように、２つのデバイス１０、２０を備えるシステム１が、第１の機能ＦＣＴ１の動作のために使用される第１のプロファイルＰＲＯ１を使用するよう構成されること、及びその一方でコマンド受信デバイスは第２の機能ＦＣＴ２を起動するためにこの第１のプロファイルＰＲＯ１を使用することを意味する。例えば、キー検索機能のために使用されるプロファイルは、写真のために使用される。
【００２２】
実際、このようなキー検索機能に関して、動作は以下の通りである。機能が起動されると、コマンド発行デバイスは、機能が起動されることを示す符号化されたメッセージＭＯＴ１をコマンド受信デバイスに送信する。その結果として、２つのデバイスはＢｌｕｅｔｏｏｔｈプロトコルを用いてこれら２つのデバイス間の距離を決定するため、上記距離が予めプログラムされた値を超えた場合、コマンド受信デバイス２０は光又は音声信号を発することができる。このように、符号化されたメッセージＭＯＴ１は、プロファイルＰＲＯ１のみに関連するメッセージである。
【００２３】
従って本発明は、この符号化されたメッセージＭＯＴ１を第２の機能のために使用することからなる。
【００２４】
その結果として、プロファイルの第２の部分は、第１の機能ＦＣＴ１の代わりに第２の機能ＦＣＴ２が実行されるように修正される。例えばこの第２の部分は、無料若しくは有料アプリケーションを介してダウンロードできるか、又はデバイスのオペレーティングソフトウェアに直接組み込むことができる。
【００２５】
第１のステップは第２の機能ＦＣＴ２を起動することである。即ち、対応するアプリケーションは実行中であるが、いかなる動作も実施しない。この第２の機能ＦＣＴ２は、コマンド受信デバイス２０がオンになるとすぐに実行できる。第２のステップは、コマンド受信デバイス２０が符号化されたメッセージＭＯＴ１を受信した際に起こり、上記コマンド受信デバイス２０は続いて機能の動作を実行する。第２の機能ＦＣＴ２が写真機能である例では、第１のステップは、コマンド受信デバイス２０において写真アプリケーションを開くことからなる。第２のステップは、符号化されたメッセージＭＯＴ１を受信した後に写真機能を動作させること、即ち上記デバイスのカメラを用いて写真を撮ることからなる。
【００２６】
図３において確認できる変形例では、使用されるプロファイルは複数のレベルを有する。複数のレベルを有するプロファイルは、複数の符号化されたメッセージＭＯＴ１、ＭＯＴ２等…と通信できるプロファイルである。
【００２７】
よってこの変形例は、同一のプロファイルを異なる機能のために使用できるという利点を有する。実際、コマンド受信デバイス２０の異なる機能は、符号化されたプロファイルメッセージのうちの１つのみに応答するようプログラムされる。例えば、第１のプロファイルＰＲＯ１は、２つの符号化されたメッセージＭＯＴ１、ＭＯＴ２を有する。第１の符号化されたメッセージＭＯＴ１が第１の機能ＦＣＴ１のために使用されるように、及び第２の符号化されたメッセージＭＯＴ２が第２の機能ＦＣＴ２のために使用されるように、機能をプログラムできる。従って、両方の機能を起動する場合、第１の符号化されたメッセージＭＯＴ１又は第２の符号化されたメッセージＭＯＴ２の受信は、第１の機能ＦＣＴ１又は第２の機能ＦＣＴ２の実行につながる。
【００２８】
別の変形例では、システム１は、複数のコマンド受信デバイス２０を備えてよい。これらコマンド受信デバイス２０はそれぞれ、第１のデバイスの第１のプロファイルＰＲＯ１が生成する第１の符号化されたメッセージＭＯＴ１に応答して機能を実行できる。これら機能ＦＣＴは、コマンド受信デバイス２０毎に異なっていてよい。
【００２９】
よってコマンド発行デバイス１０は、コマンド受信デバイス２０のうちの１つのみに、第１の符号化されたメッセージＭＯＴ１を送信できるよう構成される。
【００３０】
その結果として、ユーザがコマンド発行デバイス１０を利用して機能ＦＣＴを選択及び起動する場合、コマンド発行デバイス１０は適切なコマンド受信デバイス２０を予め選択し、上記コマンド受信デバイス２０に第１の符号化されたメッセージＭＯＴ１を送信し、これによって選択されたコマンド受信デバイス２０はその機能を実行できる。第１の符号化されたメッセージＭＯＴ１は、適切なコマンド受信デバイス２０のみが読み出し及び解釈できるコードを含み得ることが理解されるだろう。
【００３１】
添付の請求項によって定義される本発明の範囲から逸脱することなく、当業者には明らかな様々な変更及び／又は改良及び／又は組み合わせを、上に示した本発明の実施形態に対して行ってよいことは明らかである。
【図１】
2016522479.tif 000003
【図２】
2016522479.tif 000004
【図３】
2016522479.tif 000005
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
少なくとも１つの第１のコマンド発行デバイス（１０）及び少なくとも１つの第２のコマンド受信デバイス（２０）を含む、システム（１）であって、
前記少なくとも１つの第１のコマンド発行デバイス及び前記少なくとも１つの第２のコマンド受信デバイスはそれぞれ、制御ユニット（１１、２１）及び短距離無線通信ユニット（１２、２２）を含み、
前記システムは、第１の機能（ＦＣＴ１）の実行を可能とする少なくとも１つの第１の機能プロファイル（ＰＲＯ１）を使用するよう適合され、
前記第１のプロファイルにより、前記第１のデバイスは第１の符号化されたメッセージ（ＭＯＴ１）を生成でき、
前記第２のデバイスが前記第１の符号化されたメッセージを受信すると、前記第１の機能が前記少なくとも１つの第２のコマンド受信デバイスによって実行される、システムにおいて、
前記システムは、前記システムが、前記第２のコマンド受信デバイスが前記第１の符号化されたメッセージ（ＭＯＴ１）の受信に応答して、前記第１のプロファイル（ＰＲＯ１）を用いて前記第１の機能（ＦＣＴ１）とは異なる第２の機能（ＦＣＴ２）を実行できるよう構成されることを特徴とする、システム（１）。
【請求項２】
前記第１のプロファイル（ＰＲＯ１）により、前記第１のデバイスは、第１の機能（ＦＣＴ１）及び第２の機能（ＦＣＴ２）の実行をそれぞれ可能とする第１の符号化されたメッセージ（ＭＯＴ１）及び第２の符号化されたメッセージ（ＭＯＴ２）を生成できることを特徴とする、請求項１に記載のシステム。
【請求項３】
前記第１の機能（ＦＣＴ１）はオブジェクト検索機能であり、前記第２の機能（ＦＣＴ２）は写真機能であることを特徴とする、請求項１又は２に記載のシステム。
【請求項４】
前記第１のデバイス（１０）は腕時計であり、前記第２のデバイス（２０）はタッチタブレットであることを特徴とする、請求項１〜３のいずれか１項に記載のシステム。
【請求項５】
前記第１のデバイス（１０）はタッチタブレットであり、前記第２のデバイス（２０）は腕時計であることを特徴とする、請求項１〜３のいずれか１項に記載のシステム。
【請求項６】
前記システムは、前記少なくとも１つの第１のコマンド発行デバイス（１０）及び前記少なくとも２つの第２のコマンド受信デバイス（２０）を含み、
前記少なくとも１つの第１のコマンド発行デバイス及び前記少なくとも２つの第２のコマンド受信デバイスはそれぞれ、前記第１の符号化されたメッセージの受信に応答して機能を実行でき、
前記第１のデバイス（１０）は、前記第２のコマンド受信デバイス（２０）のうちの１つだけに限定して、前記第１の符号化されたメッセージを送信するよう配設される
ことを特徴とする、請求項１に記載のシステム。
【国際調査報告】
2016522479.tif 000006
2016522479.tif 000007
2016522479.tif 000008
2016522479.tif 000009